(57)【要約】      （修正有）【課題】咬合力が直接作用することなく、挿入時の困難を緩和し、導電端子の損壊を防ぐとともに、スムーズに解錠できるフラットケーブルの挿入コネクタ構造を提供する。【解決手段】フラットケーブルの挿入コネクタ構造は、絶縁本体１００と、複数個の導電端子と、ストッパー片と、ケース４００を含む。複数個の導電端子は本体の端子挿入溝中に取付けられてフラットケーブル５００と電気的接続する。ストッパー片は本体底面に設置され、表面には少なくとも一つのストッパー突出部が設置され、二つの延伸部を備え、更に左右で突出する解錠部３３０を備える。ケースは絶縁本体を包覆して、フラットケーブル空間を形成し、ケースの側面には解錠部が露出する二つの解錠開口が設置される。フラットケーブルは少なくとも一つの固定開孔５１０を備え、挿入時、先端がストッパー突出部に抵触し、ストッパー突出部がフラットケーブルの前方向の移動に伴い固定開孔内で突出する。【選択図】図１
0003220680.tif 000002
【実用新案登録請求の範囲】
【請求項１】
フラットケーブルがフラットケーブル開口から挿入されるコネクタ構造であり、絶縁本体と、複数個の導電端子と、ストッパー片と、ケースとを含み、
前記絶縁本体が本体頂面と、前記本体頂面と相対する本体底面と、前記本体頂面と隣り合い前記フラットケーブル開口に近接する本体前壁と、前記フラットケーブル開口と相対するもう一方側に近接する本体後壁とを備え、前記本体頂面の前記本体前壁に近接する側には前記絶縁本体を貫通する少なくとも一つのストッパー開孔が設けられ、前記本体頂面の前記本体後壁に近接する側には複数個の端子挿入溝が間隔をあけて設置され、複数個の前記端子挿入溝の傍らには前記絶縁本体を貫通する少なくとも一つのストッパー固定孔が設置され、
複数個の前記導電端子が前記端子挿入溝中に取付けられて前記フラットケーブルと電気的接続し、
前記ストッパー片が前記本体底面に設置され、前記ストッパー片上の表面には前記ストッパー開孔を貫通する少なくとも一つのストッパー突出部が設置され、前記ストッパー片が下向きに傾斜して延伸することで二つのストッパー延伸部を備え、前記ストッパー延伸部が弾性部と、弾性延伸部とを備え、前記ストッパー片の左右で二つの解錠部が突出し、
前記ケースが前記絶縁本体を包覆してフラットケーブル空間を形成し、前記フラットケーブル空間が前記フラットケーブルと連通し、前記ケースの側面には前記解錠部を露出する二つの解錠開口が設置され、
その内、前記フラットケーブルが、前記フラットケーブルを貫通する少なくとも一つの固定開孔を備え、前記フラットケーブルが前記フラットケーブル空間に挿入される際、前記フラットケーブルが前記ストッパー突出部に抵触し、前記ストッパー突出部が押下げられ、前記ストッパー突出部が前記フラットケーブルの前方向の移動に伴い前記固定開孔内で突出することを特徴とする、コネクタ構造。
【請求項２】
前記ストッパー突出部が、前記フラットケーブルが前記フラットケーブル開口に挿入される方向に面する側において下圧斜面を備えることを特徴とする、請求項１に記載のコネクタ構造。
【請求項３】
前記解錠開口と前記フラットケーブル開口とが前記ケース上で互いに連通する開放空間を成すことを特徴とする、請求項１に記載のコネクタ構造。
【請求項４】
前記ストッパー突出部が、前記本体後壁に面し前記固定開孔辺縁に抵触するストッパー固定面を備えることを特徴とする、請求項１に記載のコネクタ構造。
【請求項５】
前記絶縁本体の頂面が部分的に前記絶縁本体の側辺縁に相対して下向きに凹陥することでフラットケーブル収容空間が形成され、前記端子挿入溝が前記フラットケーブル収容空間に設置されることを特徴とする、請求項１に記載のコネクタ構造。
【請求項６】
前記解錠開口の開口高度が、前記ストッパー延伸部の端部と前記ストッパー片との間の高度差と同じであることを特徴とする、請求項１に記載のコネクタ構造。
【請求項７】
前記ケースが、前記弾性延伸部の一端から上向きに突出するストッパー端部に抵触することを特徴とする、請求項１に記載のコネクタ構造。
【請求項８】
前記弾性延伸部が前記ケースに抵触することを特徴とする、請求項１に記載のコネクタ構造。
【請求項９】
少なくとも一つのケース前固定開孔が前記本体前壁に設置され、前記ケース前固定開孔が、前記ケース上で前記ケースの下辺縁に近接する少なくとも一つのケース前固定突起と相容することを特徴とする、請求項１に記載のコネクタ構造。
【請求項１０】
少なくとも一つのケース後固定開口が前記本体後壁に設置され、前記ケース後固定開口に、前記ケース後側に設置され前記ケース上辺縁から延伸する少なくとも一つのケース後固定突起が挿入されることを特徴とする、請求項１に記載のコネクタ構造。
【考案の詳細な説明】
【技術分野】
【０００１】
本考案はコネクタに関し、特に、フラットケーブルが挿入されるコネクタである。
【背景技術】
【０００２】
従来のフラットケーブル用コネクタは、コネクタ開口内にフラットケーブル挿設用の空間を設置することでフラットケーブルを挿入する。然し、フラットケーブルがコネクタに挿入される際、フラットケーブルが絡まったり、導電ユニットが緩んで外れたり、または接続上の固定が不安定だったりすることから、信号伝達における接触不良を引き起す。
【０００３】
また、従来のフラットケーブルを固定するコネクタは大まかに以下の二種類に分けられる。
１．コネクタ上にフリップカバーやプルカバーによる鎖錠装置を設置し、当該装置により端子とフラットケーブルの咬合力を強化する。
２．端子によりフラットケーブルを施錠する。即ち端子を適した形状に設計することで、端子とフラットケーブルとの咬合力を強化する。
【０００４】
１．のタイプのコネクタは製造の際組立に多くの時間を要し、また工程プロセスも増加させる。
【０００５】
そして、２．の方法では端子が力を受けることで損壊することが多く、また操作するのも難しい。
【０００６】
上述したように、フラットケーブルを固定する装置をコネクタに追加設置することで、コネクタの工程も複雑になり、組立に要するコストや時間をも増加させる。
【考案の概要】
【考案が解決しようとする課題】
【０００７】
以上に鑑み、本考案は創造性に富んだコネクタ構造を提供する事で上述の背景技術の問題を克服する。
【課題を解決するための手段】
【０００８】
上述の目的に基づき、本考案は、フラットケーブルが挿入されるコネクタ構造を提供し、絶縁本体と、複数個の導電端子と、ストッパー片と、ケースとを含む。前記絶縁本体が本体頂面と、前記本体頂面と相対する本体底面と、前記本体頂面と隣り合う本体前壁及び本体後壁とを備え、前記本体頂面の前記本体前壁に近接する側には前記絶縁本体を貫通する少なくとも一つのストッパー開孔が設けられ、前記本体頂面の前記本体後壁に近接する側には複数個の端子挿入溝が間隔をあけて設置され、複数個の前記端子挿入溝の傍らには前記絶縁本体を貫通する少なくとも一つのストッパー固定孔が設置される。複数個の前記導電端子が前記端子挿入溝中に取付けられて前記フラットケーブルと電気的接続する。前記ストッパー片が前記本体底面に設置され、前記ストッパー片上の表面には前記ストッパー開孔を貫通する少なくとも一つのストッパー突出部が設置され、前記ストッパー片が下向きに傾斜して延伸することで二つのストッパー延伸部を備え、前記ストッパー延伸部が弾性部と、弾性延伸部を備え、前記ストッパー片の左右では解錠部が突出する。前記ケースが前記絶縁本体を包覆してフラットケーブル空間を形成し、前記フラットケーブル空間が前記フラットケーブルを挿入するフラットケーブル開口を備え、前記ケースの側面には前記解錠部を露出する二つの解錠開口が設置され、その内、前記フラットケーブルが、前記フラットケーブルを貫通する少なくとも一つの固定開孔を備え、前記フラットケーブルが前記フラットケーブル空間に挿入される際、前記フラットケーブル先端が前記ストッパー突出部に抵触し、前記ストッパー突出部が押圧され、前記ストッパー突出部が前記フラットケーブルの前方向の移動に伴い前記固定開孔内で再び突出する。
【０００９】
好ましくは、前記ストッパー突出部が、前記フラットケーブルが前記フラットケーブル開口に挿入される方向に面する側において下圧斜面を備える。
【００１０】
好ましくは、前記解錠開口と前記フラットケーブル開口とが前記ケース上で互いに連通する開放空間を成す。
【００１１】
好ましくは、前記ストッパー突出部が、フラットケーブルが前記フラットケーブル開口から抽出される方向に面する側において、固定開孔辺縁に対し垂直であるストッパー固定面を備える。
【００１２】
好ましくは、前記絶縁本体の頂面が部分的に前記絶縁本体の側辺縁に相対して下向きに凹陥することでフラットケーブル収容空間が形成され、前記端子挿入溝が前記フラットケーブル収容空間に設置される。
【００１３】
好ましくは、前記解錠開口の高さは、前記ストッパー延伸部の端部と前記ストッパー片との間の高度差と同じである。
【００１４】
好ましくは、前記ケースが、前記弾性延伸部の一端から上向きに突出するストッパー端部に抵触する。
【００１５】
好ましくは、前記弾性延伸部が前記ケースに抵触する。
【００１６】
好ましくは、少なくとも一つのケース前固定開孔が前記本体前壁に設置され、前記ケース前固定開孔が、前記ケース上で前記ケースの下辺縁に近接する少なくとも一つのケース前固定突起と相容する。
【００１７】
好ましくは、少なくとも一つの前記ケース後固定開口が前記本体後壁に設置され、前記ケース後固定開口に、前記ケース後側に設置され前記ケース上辺縁から延伸する少なくとも一つのケース後固定突起が挿入される。
【００１８】
よって、本考案のコネクタ構造は以下の利点を有する。
（１）フラットケーブルの固定開孔とストッパー突出部を通じて咬合力が生成されるので、咬合力がフラットケーブル及び導電端子に直接作用することなく、フラットケーブルがコネクタに挿入される際の困難を緩和し、且つ導電端子の損壊を防ぐ。
（２）ストッパー突出部を設置することで、フラットケーブルが引っ張り出される状況を防ぎ、またストッパー片を押圧することでフラットケーブルがスムーズに解錠され、フラットケーブルを鎖錠する構造を加えて設置する必要がなくなる。
【図面の簡単な説明】
【００１９】
本考案の考案を実施するための形態に対する理解に資する為、図面と合わせた実施例を紹介することで、以下に本考案を詳述する。図面は本考案の一部の実施形態を描写するのみであり、当業者は本考案の図面を基に、考案の諸般の修飾を行うことが可能となる。
【００２０】
【図１】本考案のコネクタ構造とフラットケーブルの立体図である。
【図２】本考案のコネクタ構造の絶縁本体の立体図である。
【図３】本考案のコネクタ構造のストッパー片の立体図である。
【図４】本考案のコネクタ構造のケースの立体図である。
【図５】本考案のコネクタ構造においてケースが絶縁本体と合わさった状態の立体図である。
【図６】本考案のコネクタ構造におけるフラットケーブルが挿入される際の移動の過程の断面図である
【図７】本考案のコネクタ構造におけるフラットケーブルが挿入される際の移動の過程の断面図である
【考案を実施するための形態】
【００２１】
本考案の特徴と内容、利点及びそれが達する効果に対する理解に資する為、図面と合わせた実施例を紹介することで、以下に本考案を詳述する。図面は考案者の意図の反映のため、及び説明を補助するために用いられるのみで、本考案を実施する際の比率、配置等を限定するものではなく、故に図面上の比率や配置を基にした解釈によって本考案の権利範囲が制限されるべきではない。
【００２２】
本考案の図１から図４はそれぞれ、本考案のコネクタ構造とフラットケーブルの立体図、絶縁本体の立体図、ストッパー片の立体図、ケースの立体図である。図１に示すように、本考案のコネクタ構造１０はフラットケーブル５００を挿入することができ、並びに絶縁本体１００と、ケース４００と、前記ケース４００から露出する解錠部３３０とを含み、その内、前記フラットケーブル５００は前記フラットケーブル５００を貫通する少なくとも一つの固定開孔５１０を備える。
【００２３】
図２は本考案のコネクタ構造の前記絶縁本体１００の立体図であり、前記絶縁本体１００は本体頂面１１０と、前記本体頂面１１０と相対する本体底面１２０と、前記本体頂面１１０と隣り合いフラットケーブル開口４１０に近接する本体前壁１３０と、前記本体頂面１１０と隣り合い前記フラットケーブル開口４１０と相対するもう一方側に近接する本体後壁１４０とを備え、その内、前記本体頂面１１０の前記本体前壁１３０に近接する側には前記絶縁本体１００を貫通する少なくとも一つのストッパー開孔１１１が設けられ、本考案の一部の実施例において、前記本体前壁１３０には前記本体前壁１３０を貫通する少なくとも一つのケース前固定開孔１１４が設置され、前記本体頂面１１０の前記本体後壁１４０に近接する側には複数個の端子挿入溝１１３が間隔をあけて設置されている。
【００２４】
前記本体後壁１４０には少なくとも一つのケース後固定開口１４１が設置され、前記ケース後固定開口１４１は前記本体後壁１４０の両側に相対して設置され、設置される前記ケース後固定開口１４１の数量は二つ或いは二つ以上とすることができ、前記ケース前固定開孔１１４は前記本体前壁１３０の両側に相対して設置され、設置される前記ケース前固定開孔１１４の数量は二つ或いは二つ以上とすることができる。複数個の導電端子２００は前記端子挿入溝１１３中に取付けられ、前記フラットケーブル５００との電気的接続に用いられる。本考案の一部の実施例において、前記導電端子２００の数量は前記端子挿入溝１１３と同じ、或いは前記導電端子２００を間隔をあけて前記端子挿入溝１１３中に分布させて設置することができる。
【００２５】
本考案の部分実施例において、前記絶縁本体１００の頂面が下向きに凹陥することで形成されるフラットケーブル収容空間１１２であるが、その内、前記フラットケーブル収容空間１１２は前記本体頂面１１０上を部分的に占める形で形成され、この類の実施例において、前記端子挿入溝１１３は凹陥した状態で前記フラットケーブル収容空間１１２に設置される。
【００２６】
図３は本考案のコネクタ構造のストッパー片の立体図であり、図に示すように、前記ストッパー片３００上の表面にはほぼ三角形状の二つのストッパー突出部３１０が対応して設置されるが、設置される前記ストッパー突出部３１０は一つに限らず、設置される前記ストッパー開孔１１１の数量より少ない或いはそれと同じとすることができ、その内、前記ストッパー突出部３１０の突出部分の大きさは前記ストッパー開孔１１１の開孔の大きさより小さく、前記ストッパー開孔１１１を貫通する。前記ストッパー片３００は前記本体底面１２０の下に設置され、前記コネクタ構造１０が組立てられた状態で前記フラットケーブル５００が挿入されていない場合、前記ストッパー突出部３１０は下から上に向かって前記ストッパー開孔１１１を貫通する。
【００２７】
更に、前記ストッパー片３００から下向きに傾斜して延伸することで二つのストッパー延伸部３２０が備えられ、前記ストッパー延伸部３２０は弾性部３２０１と、弾性延伸部３２０２を備え、前記ストッパー片３００の左右には相対して突出する前記解錠部３３０とを備える。
【００２８】
更に、前記ストッパー突出部３１０はストッパー固定面３１２と下圧斜面３１１とを含み、その内、前記ストッパー固定面３１２は前記本体後壁１４０に面し、前記固定開孔５１０の辺縁に抵触し、前記下圧斜面３１１は前記フラットケーブル５００が前記フラットケーブル開口４１０に挿入され前記導電端子２００に接近する方向に面している。
【００２９】
前記弾性部３２０１は弾性構造であり、前記ストッパー片３００の前記解錠部３３０を押圧することで、前記弾性延伸部３２０２の一端は前記絶縁本体１００と前記ケース４００との間に固定され、前記ストッパー片３００は前記弾性延伸部３２０２の一端と相対して弾性的に往復変位する。
【００３０】
図４は本考案のコネクタ構造のケースの立体図である。前記ケース４００は前記絶縁本体１００と前記ストッパー片３００を包覆する形で設置され、前記フラットケーブル開口４１０はフラットケーブル空間４２０と連通し、これ以外に、前記ケース４００の側面には前記解錠部３３０を露出する前記ケース４００の解錠開口４３０が設置されている。
【００３１】
本考案の部分実施例において、前記解錠開口４３０は前記ケース４００の辺縁に設置され、前記ケース４００において前記フラットケーブル開口４１０と共に外部に連通する同一の開放空間を構成する。
【００３２】
本考案の部分実施例において、前記解錠開口４３０の開口の高さは前記ストッパー延伸部３２０２の一端と前記ストッパー片３００との間の高度差と同じであり、その内、上述の前記ストッパー延伸部３２０２の一端は前記ケース４００と前記絶縁本体１００の間の一つの点或いは一つの面に固定され、上述の前記ストッパー延伸部３２０２の一端を固定することにより、前記ストッパー片３００は前記ストッパー延伸部３２０２の一端を支点にして往復移動することができ、或いは前記ケース４００と前記絶縁本体１００が前記ストッパー延伸部３２０２に抵触して固定することにより、前記ストッパー片３００は前記ストッパー延伸部３２０２を支点にして往復移動することができる。前記解錠開口４３０は側面が開口である以外に、前記解錠開口４３０の下側に解錠下側開口４３１を対応させて設置することができ、前記解錠下側開口４３１は前記解錠部３３０の最大断面積より大きく、前記解錠部３３０を前記解錠下側開口４３１を通じて前記ケース４００の外部に沈込ませ、且つ前記解錠下側開口４３１は前記ケース４００の一部を透かし彫りにして形成される。
【００３３】
本考案の部分実施例において、前記弾性延伸部３２０２はストッパー端部３２１を上向きに突出させて設置することができ、前記ストッパー端部３２１とストッパー固定孔１１５の結合は、前記ストッパー片３００と前記絶縁本体１００を接合するためであり、前記ストッパー片３００と前記絶縁本体１００が接合する際、前記ストッパー端部３２１は前記ストッパー固定孔１１５に嵌合される。
【００３４】
その内、本考案の部分実施例において、前記ケース４００は前記弾性延伸部３２０２の一端から上向きに突出する前記ストッパー端部３２１に抵触する。
【００３５】
前記ケース４００上の前記ケース４００の下辺縁に近接する箇所には少なくとも一つのケース前固定突起４４０を設置することができ、且つ前記本体前壁１３０には前記ケース前固定突起４４０に対応する前記ケース前固定開孔１１４を設置することができ、前記ケース前固定開孔１１４と前記ケース前固定突起４４０のいずれもが本考案のコネクタに設置される情況において、前記ケース前固定開孔１１４に前記ケース前固定突起４４０を挿入することで前記ケース４００と前記絶縁本体１００をしっかりと固定させる。
【００３６】
図５は本考案のコネクタ構造において、ケースが絶縁本体と結合した状態の立体図である。図に示すように、前記本体後壁１４０には前記ケース後固定開口１４１が設置され、前記ケース後固定開口１４１はケース後固定突起４５０を挿入させることで、前記ケース４００と前記絶縁本体１００が結合した際の固定の度合いを強化させる。その内、前記ケース後固定突起４５０は、ケースの上辺縁から延伸し、その後フック状でケースの方向に伸びる突起と成る。言い換えると、図５の実施例において、前記ケース後固定突起４５０は前記ケース後固定開口１４１と掛合して相容する。
【００３７】
図６は本考案のコネクタ構造におけるフラットケーブルが挿入される際の移動の過程の断面図である。前記フラットケーブル５００が前記フラットケーブル空間４２０に挿入される際、前記フラットケーブル５００の前端は前記ストッパー突出部３１０の前記下圧斜面３１１に抵触し、前記ストッパー突出部３１０が前記フラットケーブル５００に押下げられ、前記フラットケーブル５００を前記フラットケーブル空間４２０で継続的に前記導電端子２００の方向に移動させることができる。
【００３８】
図７は本考案のコネクタ構造におけるフラットケーブルが挿入される際の移動の過程の断面図である。前記フラットケーブル５００が前記フラットケーブル空間４２０に挿入される際、前記フラットケーブル５００が前方向に前記固定開孔５１０部分まで移動して達した時、前記ストッパー突出部３１０は前記固定開孔５１０で上向きに突出し、前記ストッパー突出部３１０の後側には前記ストッパー固定面３１２が備えられ、前記ストッパー固定面３１２は前記フラットケーブル５００のフラットケーブル固定面５１１に抵触し、前記フラットケーブル５００が抽出されるのを防ぐ。
【００３９】
使用者が前記フラットケーブル５００を抽出したい場合、前記解錠部３３０を前記ケース４００の底面方向に押下げ、前記ストッパー突出部３１０を弾性的に変位させて下に沈ませ、前記ストッパー固定面３１２を前記フラットケーブル固定面５１１に接触させないことで、前記フラットケーブル５００が抽出される連通空間ができる。
【００４０】
以上をまとめると、本考案のフラットケーブルとストッパー片の設置により、端子の咬合力がフラットケーブルの固定開孔とストッパー突出部により生成され、フラットケーブルを連接器に挿入する際の困難を緩和し、並びに導電端子の損傷を防ぐことができる。もう一方では、ストッパー片を押圧することでフラットケーブルがスムーズに解錠され、フラットケーブルを鎖錠する構造を加えて設置する必要がなくなる。
【００４１】
１０：コネクタ構造
１００：絶縁本体
１１０：本体頂面
１１１：ストッパー開孔
１１２：フラットケーブル収容空間
１１３：端子挿入溝
１１４：ケース前固定開孔
１１５：ストッパー固定孔
１２０：本体底面
１３０：本体前壁
１４０：本体後壁
１４１：ケース後固定開口
２００：導電端子
３００：ストッパー片
３１０：ストッパー突出部
３１１：下圧斜面
３１２：ストッパー固定面
３２０：ストッパー延伸部
３２０１：弾性部
３２０２：弾性延伸部
３２１：ストッパー端部
３３０：解錠部
４００：ケース
４１０：フラットケーブル開口
４２０：フラットケーブル空間
４３０：解錠開口
４３１：解錠下側開口
４４０：ケース前固定突起
４５０：ケース後固定突起
５００：フラットケーブル
５１０：固定開孔
５１１：フラットケーブル固定面
【図１】
0003220680.tif 000003
【図２】
0003220680.tif 000004
【図３】
0003220680.tif 000005
【図４】
0003220680.tif 000006
【図５】
0003220680.tif 000007
【図６】
0003220680.tif 000008
【図７】
0003220680.tif 000009